(57)【特許請求の範囲】
【請求項１】
基地局と、前記基地局と通信する１個または複数個の端末とを含む時分割多重システムであって、
前記端末は、前記基地局からイニシャルレンジング期間として割り当てられた送信タイミングでレンジング要求メッセージを前記基地局に送信しても前記基地局からこれに対する応答が得られない場合に、前記送信タイミングよりも早く前記レンジング要求メッセージを前記基地局に再送信する第１の送信タイミング変更手段を含むとともに、
前記基地局は、複数の端末に対し予め設定されたデータの送信順序を変更する第２の送信タイミング変更手段を含み、
前記第２の送信タイミング変更手段は、前記端末において前記基地局からのデータの受信時間と前記基地局へのデータの送信時間とが競合する場合に、前記端末に対する送信データ領域を予め設定したデータ領域よりも前方にマッピングすることを特徴とする時分割多重システム。
【請求項２】
基地局と、前記基地局と通信する１個または複数個の端末とを含む時分割多重システムにおける送信タイミング制御方法であって、
前記端末は、前記基地局からイニシャルレンジング期間として割り当てられた送信タイミングでレンジング要求メッセージを前記基地局に送信しても前記基地局からこれに対する応答が得られない場合に、前記送信タイミングよりも早く前記レンジング要求メッセージを前記基地局に再送信する第１の送信タイミング変更ステップを含むとともに、
前記基地局は複数の端末に対し予め設定されたデータの送信順序を変更する第２の送信タイミング変更ステップを含み、
前記第２の送信タイミング変更ステップは、前記端末において前記基地局からのデータの受信時間と前記基地局へのデータの送信時間とが競合する場合に、前記端末に対する送信データ領域を予め設定したデータ領域よりも前方にマッピングすることを特徴とする送信タイミング制御方法。
【発明の詳細な説明】
【技術分野】
【０００１】
本発明は、時分割多重システムおよびその送信タイミング制御方法に関し、特に同期Ｐ  ｔｏ  ＭＰ（Ｐｏｉｎｔ  ｔｏ  Ｍｕｌｔｉ  Ｐｏｉｎｔ）方式の無線データ通信に好適な時分割多重システムおよびその送信タイミング制御方法に関する。
【背景技術】
【０００２】
高速無線データ通信の規格（ＩＥＥＥ８０２．１６）が定められている（非特許文献１参照）。ＩＥＥＥ８０２．１６の物理レイヤでは、変調方式としてシングルキャリア、ＯＦＤＭ（ｏｒｔｈｏｇａｎａｌ  ｆｒｅｑｕｅｎｃｙ  ｄｉｖｉｓｉｏｎ  ｍｕｌｔｉｐｌｅｘｉｎｇ：直交周波数分割多重）およびＯＦＤＭＡ（ｏｒｔｈｏｇａｎａｌ  ｆｒｅｑｕｅｎｃｙ  ｄｉｖｉｓｉｏｎ  ｍｕｌｔｉｐｌｅ  ａｃｃｅｓｓ：直交周波数分割多重多元接続）等がサポートされている。以下、ＩＥＥＥ８０２．１６に準拠した無線データ通信方法を、変調方式としてＯＦＤＭＡを採用した場合を例にして説明する。
【０００３】
ＩＥＥＥ８０２．１６では、通信形態の一つとしてＰ  ｔｏ  ＭＰが規定されており、このＰ  ｔｏ  ＭＰでは、基地局（以下、ＢＳと表示する）が全ての端末（以下、ＳＳと表示する）の送受信機会をスケジューリングすることで効率が良く、かつＱｏＳ（サービス品質）を保証した通信を可能としている。
【０００４】
図８はＰ  ｔｏ  ＭＰ方式でのＯＦＤＭＡフレーム構成の一例を示す図であり、プリアンブル、ＦＣＨ（ｆｒａｍｅ  ｃｏｎｔｒｏｌ  ｈｅａｄｅｒ）に続き、Ｄｏｗｎ  Ｌｉｎｋバースト内のブロードキャストメッセージフィールドに含まれたＭＡＰメッセージにＤｏｗｎ  Ｌｉｎｋ、Ｕｐ  Ｌｉｎｋのスケジューリング情報が格納されている。
【０００５】
このスケジューリング情報には、各ＳＳに割り当てる下りリンク用のスロット情報および上りリンク用のスロット情報が格納されており、ＳＳはこれらの情報を受信することで、自分用のデータが届くタイミングと自分がデータを送信してよいタイミングとを知ることができる。以下では、ＦＣＨに続くＤｏｗｎ  Ｌｉｎｋバースト内のブロードキャストメッセージフィールドに含まれたＭＡＰメッセージを単にＭＡＰメッセージと表現する。
【０００６】
ＳＳは、ネットワークに参加する際および参加後も定期的にＢＳとの送受信タイミングや送信電力を調整するためにレンジング（ｒａｎｇｉｎｇ）と呼ばれる処理を行う。ネットワークに参加する際は、ＢＳからＭＡＰメッセージによって割り当てられたイニシャルレンジング期間にレンジングを行う。なお、このイニシャルレンジング期間はコンテンション（ｃｏｎｔｅｎｔｉｏｎ）方式である。
【０００７】
図９はＢＳとＳＳとの間でのイニシャルレンジングのシーケンスの一例を示す図である。ＳＳは、イニシャルレンジング期間にＣＤＭＡ  Ｃｏｄｅ（ｃｏｄｅ  ｄｉｖｉｓｉｏｎ  ｍｕｌｔｉｐｌｅ  ａｃｃｅｓｓ  ｃｏｄｅ：レンジング要求）メッセージをＢＳへ送信する( ステップ７０１) 。
【０００８】
ＣＤＭＡ  Ｃｏｄｅを受信したＢＳは、ＳＳからの受信信号に対して調整が必要であれば、送信出力、周波数および送信タイミング等の情報を、レンジング継続通知（ＲＮＧ−ＲＳＰ中のＲａｎｇｉｎｇ  Ｓｔａｔｕｓ＝ｃｏｎｔｉｎｕｅ）を含むＲＮＧ−ＲＳＰ  （レンジング応答）としてＳＳへ送信する( ステップ７０２) 。
【０００９】
レンジング継続通知のＲＮＧ−ＲＳＰを受信したＳＳは、送信出力、周波数および送信タイミングを調整した後、ＢＳからＳＳに割り当てられるイニシャルレンジング期間で再度ＣＤＭＡ  ＣｏｄｅをＢＳへ送信する( ステップ７０３) 。
【００１０】
ＳＳからの受信信号がＢＳで予め設定された値を満足する場合、ＢＳはレンジング成功通知（ＲＮＧ−ＲＳＰ中のＲａｎｇｉｎｇ  Ｓｔａｔｕｓ＝ｓｕｃｃｅｓｓ）を含むＲＮＧ−ＲＳＰをＳＳへ送信する( ステップ７０４) 。
【００１１】
一連のイニシャルレンジングは、レンジング成功通知を伴ったＲＮＧ−ＲＳＰをＳＳで受信することで完了する。
【００１２】
一方、この種の通信システムの一例として、基地局からの受信電界強度に応じて送信タイミングの初期値を決定し、決定された初期値から送信タイミングをずらす発明が開示され（特許文献１参照）、また、下りフレームと上りフレームにオーバーラップが生じる場合に、夫々上りフレーム及び下りフレーム中で同一の遠隔局に割り当てられるタイムスロットの一致を避ける発明が開示されている（特許文献２参照）。また、その他の関連技術が特許文献３〜６に開示されている。
【００１３】
【特許文献１】特開２００２−０９４６０６号公報（段落００１５、００６９，００７１および図２）
【特許文献２】特開平０６−０１３９９８号公報（段落０００８，００１１，００３１〜００３６および図２）
【特許文献３】特開２００６−３０３８０２号公報
【特許文献４】特開平１１−３３１２２８号公報
【特許文献５】特表２００１−５２４２６８号公報
【特許文献６】特表平１１−５１０６６７号公報
【非特許文献１】ＩＥＥＥ  Ｓｔａｎｄａｒｄ  ｆｏｒ  Ｌｏｃａｌ  ａｎｄ  ｍｅｔｒｏｐｏｌｉｔａｎ  ａｒｅａ  ｎｅｔｗｏｒｋｓ  Ｐａｒｔ  １６：  “Ａｉｒ  Ｉｎｔｅｒｆａｃｅ  ｆｏｒ  Ｆｉｘｅｄ  ａｎｄ  Ｍｏｂｉｌｅ  Ｂｒｏａｄｂａｎｄ  Ｗｉｒｅｌｅｓｓ  Ａｃｃｅｓｓ  Ｓｙｓｔｅｍｓ  Ａｍｅｎｄｍｅｎｔ  ２”，  ＩＥＥＥ  Ｓｔｄ  ８０２．１６ｅ−２００５  ａｎｄ  ＩＥＥＥ  Ｓｔｄ  ８０２．１６−２００４／Ｃｏｒ  １−２００５，２００６．
【発明の開示】
【発明が解決しようとする課題】
【００１４】
ＩＥＥＥ８０２．１６ｅ−２００５において、ＳＳとＢＳ間のイニシャルレンジングはＯＦＤＭシンボルに付加されたガードインターバル時間で許容できる距離領域での使用が可能である。
【００１５】
しかし、ＢＳを大規模セルとして長距離間のＰ  ｔｏ  ＭＰ通信として運用、もしくは長距離間のＰｏｉｎｔ  ｔｏ  Ｐｏｉｎｔ（以下、Ｐ  ｔｏ  Ｐと表示する）通信として運用すると、イニシャルレンジングが成功せず、ＳＳ側の初期送信タイミングを距離に応じた値に変更しないと通信ができないという問題があった。
【００１６】
具体例として、図１０に関連する時分割多重システムの一例の構成図を示す。同図にはＢＳ１０１と、複数のＳＳ１０２〜１０４が表示され、ＢＳ１０１とＳＳ１０２〜１０４とが通信を行う。この例では、ＢＳ１０１とＳＳ１０２〜１０４間の距離が異なる。ＢＳ１０１とＳＳ１０２間の距離はＡ、ＢＳ１０１とＳＳ１０３間の距離はＢ、ＢＳ１０１とＳＳ１０４間の距離はＣである（Ａ＜Ｂ＜Ｃとする）。このように、ＢＳ１０１とＳＳ１０２〜１０４間の距離が異なる場合、イニシャルレンジングを行うためのＳＳ１０２〜１０４側の最適な送信タイミングの初期値はそれぞれ異なる。
【００１７】
ＳＳ１０２〜１０４はいかなる距離で使用されるか明確でないため、イニシャルレンジングにおけるＣＤＭＡ  Ｃｏｄｅは予めＳＳに定められたタイミングで送信を試みようとする。伝搬距離が変わることでおのずと伝搬遅延時間も変化するが、ＯＦＤＭに付加されたガードインターバルによりＢＳで受信するＣＤＭＡ  Ｃｏｄｅの時間変動を吸収することで、多少タイミングが規定値を超えていたとしても受信は可能である。
【００１８】
しかし、ガードインターバルで吸収できない伝搬遅延環境ではＢＳはそもそもＣＤＭＡ  Ｃｏｄｅを受信できず、イニシャルレンジングは成功しない。
【００１９】
図１１は関連する時分割多重システムの送信タイミングの一例の説明図である。同図において、ＢＳ２０１とＳＳ２０２間の距離は大きく離れていると仮定する。ＳＳ２０２は受信したＤｏｗｎ  Ｌｉｎｋデータの先頭２０３から予め定められた時間２０４後にＣＤＭＡＣｏｄｅ２０６をＢＳ２０１に向けて送信する。しかしながら、前述したようにＢＳ２０１には受信可能な時間領域２０９を超えて受信時間２０８でＣＤＭＡＣｏｄｅが到達してしまっている。
【００２０】
これらを解決するように、ＢＳ２０１でのＣＤＭＡ  Ｃｏｄｅ受信時間変動を広く許容するようにガードインターバルを大きく設定することは可能であるが、ＯＦＤＭ１シンボルあたりの使用可能なデータ領域が狭まるため好適な手段とはいえない。
【００２１】
図１２は関連する時分割多重システムのＢＳ−ＳＳ間で受信データと送信データとが競合する例を示す図である。同図において、ＢＳ３０１とＳＳ３０２間の距離は他のＳＳ３１１、３１２よりも離れていると仮定する。図１０に示すＢＳ１０１とＳＳ１０４と同様に、ＢＳ３０１とＳＳ３０２間の距離が大きく離れている場合、図１２に示すようにＳＳ３０２がＢＳ３０１からのＤｏｗｎ  Ｌｉｎｋデータの受信を完了する前に、Ｕｐ  Ｌｉｎｋデータの送信開始タイミングが発生することがある（同図のＤ３（３０５）のタイミング）。
【００２２】
ここで、図１２のＤ１（３０３）はＳＳ３１１に対するＤｏｗｎ  Ｌｉｎｋデータ領域、Ｄ２（３０４）はＳＳ３１２に対するＤｏｗｎ  Ｌｉｎｋデータ領域、Ｄ３（３０５）はＳＳ３０２に対するＤｏｗｎ  Ｌｉｎｋデータ領域をそれぞれ示している。
【００２３】
しかし、関連する時分割多重システムではＢＳ３０１から距離が大きく離れたＳＳ３０２に対する送信でも、Ｄｏｗｎ  Ｌｉｎｋフレーム内のどの位置にデータをマッピングするか考慮されていないため、図１２に示すように、Ｄｏｗｎ  Ｌｉｎｋデータの後半部分（同図のデータ領域Ｄ３（３０５））にＳＳ３０２に対するデータがマッピングされた場合にはＵｐ  Ｌｉｎｋデータを送信し始めなければならない時間と競合してしまうため、データを正しく受信できないという問題があった。
【００２４】
または、Ｄｏｗｎ  Ｌｉｎｋのデータ領域として使用可能な領域を制限し、Ｄｏｗｎ  Ｌｉｎｋの長さを短くすることでＵｐ  ＬｉｎｋとＤｏｗｎ  Ｌｉｎｋの時間間隔を空け、長距離でもＤｏｗｎ  Ｌｉｎｋデータが正常に受信できるようにしていた。
【００２５】
一方、特許文献１開示の発明は、送信タイミングをずらすという点で本発明と共通するが、その処理の前に基地局からの受信電界強度に応じて送信タイミングの初期値を決定するという処理が設けられており、予め端末から基地局に対する有効な送信タイミングの初期値が設定されているという点で構成が本発明と全く相違する。
【００２６】
また、特許文献２開示の発明は、上りフレーム及び下りフレーム中で同一の遠隔局に割り当てられるタイムスロットの一致を避けるという点で本発明と共通するが、この構成と前述の送信タイミングをずらす構成の両者を備える時分割多重システムは全く開示されていない。
【００２７】
また、特許文献３〜６および非特許文献１に開示の発明に課題を解決する手段は記載されていない。
【００２８】
そこで本発明の目的は、端末からのレンジング要求メッセージの送信タイミングが基地局で受信できないほどずれている場合でも、そのレンジング要求メッセージを基地局で受信することが可能な時分割多重システムおよびその送信タイミング制御方法を提供することにある。
【課題を解決するための手段】
【００２９】
前記課題を解決するために本発明による時分割多重システムは、基地局と、前記基地局と通信する１個または複数個の端末とを含む時分割多重システムであって、前記端末は、前記基地局からイニシャルレンジング期間として割り当てられた送信タイミングでレンジング要求メッセージを前記基地局に送信しても前記基地局からこれに対する応答が得られない場合に、前記送信タイミングよりも早く前記レンジング要求メッセージを前記基地局に再送信する第１の送信タイミング変更手段を含むとともに、前記基地局は、複数の端末に対し予め設定されたデータの送信順序を変更する第２の送信タイミング変更手段を含み、前記第２の送信タイミング変更手段は、前記端末において前記基地局からのデータの受信時間と前記基地局へのデータの送信時間とが競合する場合に、前記端末に対する送信データ領域を予め設定したデータ領域よりも前方にマッピングすることを特徴とする。
【００３０】
また、本発明による送信タイミング制御方法は、基地局と、前記基地局と通信する１個または複数個の端末とを含む時分割多重システムにおける送信タイミング制御方法であって、前記端末は、前記基地局からイニシャルレンジング期間として割り当てられた送信タイミングでレンジング要求メッセージを前記基地局に送信しても前記基地局からこれに対する応答が得られない場合に、前記送信タイミングよりも早く前記レンジング要求メッセージを前記基地局に再送信する第１の送信タイミング変更ステップを含むとともに、前記基地局は複数の端末に対し予め設定されたデータの送信順序を変更する第２の送信タイミング変更ステップを含み、前記第２の送信タイミング変更ステップは、前記端末において前記基地局からのデータの受信時間と前記基地局へのデータの送信時間とが競合する場合に、前記端末に対する送信データ領域を予め設定したデータ領域よりも前方にマッピングすることを特徴とする。
【発明の効果】
【００３２】
本発明によれば、端末からのレンジング要求メッセージの送信タイミングが基地局で受信できないほどずれている場合でも、そのレンジング要求メッセージを基地局で受信することが可能となる。
【発明を実施するための最良の形態】
【００３３】
以下、本発明の実施形態について添付図面を参照しながら説明する。
【００３４】
まず、第１の実施形態について説明する。図１は本発明に係る時分割多重システムにおける端末の一例の構成図である。同図を参照すると、端末１は送信部１１と、受信部１２と、制御部１３と、プログラム格納部１４と、受信用アンテナ１５と、送信用アンテナ１６とを含んで構成される。
【００３５】
制御部１３はプログラム格納部１４から後述する送信タイミング制御用プログラムを読み出し、そのプログラムにしたがって送信部１１および受信部１２を制御する。
【００３６】
図２は本発明に係る時分割多重システムにおける基地局の一例の構成図である。同図を参照すると、基地局２は送信部２１と、受信部２２と、制御部２３と、プログラム格納部２４と、受信用アンテナ２５と、送信用アンテナ２６とを含んで構成される。
【００３７】
制御部２３はプログラム格納部２４から後述する送信タイミング制御用プログラムを読み出し、そのプログラムにしたがって送信部２１および受信部２２を制御する。
【００３８】
本発明に係る時分割多重システムの構成は、図１０に示すものと同様であるので、同図を用いてその構成について説明する。同図を参照すると、本発明に係る時分割多重システムは基地局（以下、ＢＳと表示する）１０１と、端末（以下、ＳＳと表示する）１０２〜１０４とを含んで構成される。いま、ＢＳ１０１とＳＳ１０２間の距離をＡ、ＢＳ１０１とＳＳ１０３間の距離をＢ、ＢＳ１０１とＳＳ１０４間の距離をＣとする。ここに、Ａ＜Ｂ＜Ｃという関係がある。
【００３９】
また、ＢＳ１０１とＳＳ１０２間およびＢＳ１０１とＳＳ１０３間は、ＳＳに予め定められた送信タイミングで正常にイニシャルレンジングが完了できる距離（ＡおよびＢ）に配置され、ＢＳ１０１とＳＳ１０４間はＳＳに予め定められた送信タイミングでは正常にイニシャルレンジングが完了できない距離（Ｃ）に配置されている。
【００４０】
なお、ＢＳ１０１は図２の基地局２に対応し、ＳＳ１０２〜１０４は図１の端末１に対応し、ＳＳ１０２〜１０４は同様の構成となっている。
【００４１】
次に、本発明に係る時分割多重システムの第１実施形態の動作について説明する。図３は第１実施形態の動作の一例を示すシーケンスチャート、図４および図５は第１実施形態の動作の一例を示すフローチャートである。図３〜図５は本発明に関わる長遅延環境におけるＳＳの送信タイミング制御方法を示している。
【００４２】
図３を参照すると、ＳＳ１０４は前述したイニシャルレンジングが予め定められた送信タイミングでは完了できないＳＳである。同図はＢＳ１０１とＳＳ１０４間の通信手順を示している。なお、図４および図５は図３に対応する。
【００４３】
ＢＳ１０１からのＤｏｗｎ  ＬｉｎｋのＭＡＰメッセージ（ＤＬ−Ｂｕｒｓｔ）がＳＳ１０４に到達すると（図３のステップＳ４０３，図４のステップＳ１）、ＳＳ１０４はＢＳ１０１に対して、予めイニシャルレンジング期間として定められたタイミングでＣＤＭＡ  Ｃｏｄｅ（レンジング要求）を送信する（図３のステップＳ４０４，図４のステップＳ２）。
【００４４】
次に、ＳＳ１０４はＢＳ１０１から所定期間内に応答（ＲＮＧ−ＲＳＰ）があるか否かを調べる（図４のステップＳ３）。
【００４５】
しかし、ＳＳ１０４の送信タイミング２０６（図１１参照）は、ＢＳ１０１にＣＤＭＡ  Ｃｏｄｅが到達したときは前述のとおり受信可能な時間領域２０９（図１１参照）を超えているため、ＢＳ１０１はＣＤＭＡ  Ｃｏｄｅを受信できない。したがって、ＢＳ１０１からの応答は得られない。
【００４６】
ＢＳ１０１からの応答がなかった場合は（図４のステップＳ３にて“Ｎｏ”の場合）、ＳＳ１０４は送信電力を増加させてＣＤＭＡ  Ｃｏｄｅを送信する（図３のステップＳ４０５，図４のステップＳ４）。
【００４７】
次に、ＳＳ１０４はＢＳ１０１から所定期間内に応答（ＲＮＧ−ＲＳＰ）があるか否かを調べる（図４のステップＳ５）。
【００４８】
しかし、前述と同様の理由により、ＢＳ１０１はＣＤＭＡ  Ｃｏｄｅを受信できない。したがって、ＢＳ１０１からの応答は得られない。
【００４９】
ＢＳ１０１からの応答がなかった場合は（図４のステップＳ５にて“Ｎｏ”の場合）、ＳＳ１０４は送信タイミングを前回のＣＤＭＡ  Ｃｏｄｅ（ステップＳ４０４および４０５参照）よりも早くしてＣＤＭＡ  Ｃｏｄｅを送信する（図３のステップＳ４０６，図４のステップＳ６）。なお、このステップにおいても図３のステップＳ４０５，図４のステップＳ４と同様に送信電力を増加させる。
【００５０】
次に、ＳＳ１０４はＢＳ１０１から所定期間内に応答（ＲＮＧ−ＲＳＰ）があるか否かを調べる（図４のステップＳ７）。
【００５１】
ＳＳ１０４が送信タイミングを変更したことにより、ＣＤＭＡ  Ｃｏｄｅが図１１に示す受信可能な受信領域２０９に適合する。したがって、ＢＳ１０１からの応答が得られる（図４のステップＳ７にて“Ｙｅｓ”の場合）。
【００５２】
すなわち、ＢＳ１０１からＲＮＧ−ＲＳＰ（ｃｏｎｔｉｎｕｅｄ）という継続応答がＳＳ１０４へ送信される（図３のステップＳ４０７，図４のステップＳ８）。応答が継続応答であるのは、いまだＢＳ１０１に受け入れができない状態（ｃｏｎｔｉｎｕｅｄ）であるためである。
【００５３】
ＢＳ１０１から通知されたＲＮＧ−ＲＳＰ（ｃｏｎｔｉｎｕｅｄ）の内容にしたがって、ＳＳ１０４はＣＤＭＡ  Ｃｏｄｅのタイミングと電力とを再調整し、ＢＳ１０１へ再度送信する（図３のステップＳ４０８，図４のステップＳ９）。
【００５４】
次に、ＳＳ１０４からのＣＤＭＡ  Ｃｏｄｅ（ステップＳ４０８参照）がＢＳ１０１において受け入れ可能か否かを調べる（図４のステップＳ５）。
【００５５】
この例では受け入れ可能なので（図４のステップＳ１０にて“Ｙｅｓ”の場合）、ＢＳ１０１からＳＳ１０４に対し、レンジングが完了した旨を示すＲＮＧ−ＲＳＰ（ｓｕｃｃｅｓｓ）を送信する（図３のステップＳ４０９，図４のステップＳ１１）。
【００５６】
このＲＮＧ−ＲＳＰ（ｓｕｃｃｅｓｓ）は成功応答である。この成功応答がＳＳ１０４に通知されることにより、イニシャルレンジングにおけるタイミングと電力調整の処理が完了する。
【００５７】
なお、図５のステップＳ１０にて“Ｎｏ”の場合はステップＳ９の処理を繰り返す。また、図５のステップＳ４およびＳ６の処理はそれぞれステップＳ５およびＳ７にて応答が得られるまで所定回数繰り返して行う。
【００５８】
また、上記実施形態では、ＳＳ１０４はイニシャルレンジングが予め定められた送信タイミングでは完了できないＳＳであるとして説明したが、予め定められた送信タイミングで完了できるＳＳである場合は図４のステップＳ３あるいはステップＳ５では“Ｙｅｓ”となり、その後の処理は図５のステップＳ８にジャンプする。
【００５９】
また、図１の端末１の制御部１３には図４および図５に示す送信タイミング制御方法のプログラムが格納されており、制御部１３がこのプログラムにしたがって送信部１１および受信部１２を制御する。
【００６０】
また、本実施形態ではＳＳが複数個存在する場合について説明したが、ＳＳが１個の場合にも本発明の適用が可能である。
【００６１】
以上説明したように、本発明の第１実施形態によれば、ＳＳからのＣＤＭＡ  Ｃｏｄｅの送信タイミングがＢＳで受信できないほど大幅にずれている場合でも、ＳＳが能動的に送信タイミングを変更することでイニシャルレンジングを完了させることが可能となる。
【００６２】
次に、第２の実施形態について説明する。第２の実施形態における時分割多重システムの構成は第１の実施形態と同様であるが、ＢＳとＳＳ間の距離が大きく離れている場合において発生する問題について工夫している。
【００６３】
図６は本発明に係る時分割多重システムのＢＳ−ＳＳ間で受信データと送信データとが競合する例を示す図である。同図を参照すると、ＢＳ１０１とＳＳ１０２〜１０４とが通信している。
【００６４】
同図ではＳＳ１０４がＢＳ１０１から距離が大きく離れており、図１２に示すようにＳＳ３０２がＢＳ３０１からＤｏｗｎ  Ｌｉｎｋデータを受け終わる前にＵｐ  Ｌｉｎｋデータの送信を開始しなければならない状態にある。このため、データ領域Ｄ３（３０５）がＵｐ  Ｌｉｎｋの送信時間と競合している場合を仮定している。
【００６５】
次に、本発明に係る時分割多重システムの第２実施形態の動作について説明する。図７は本発明に係る時分割多重システムの第２実施形態の動作の一例を示すフローチャートである。
【００６６】
ＳＳ１０４にてＤｏｗｎ  Ｌｉｎｋデータの受信時間とＵｐ  Ｌｉｎｋデータの送信時間とが競合している場合（図７のステップＳ２１）、ＢＳ１０１はＳＳ１０４のように距離が他のＳＳよりも離れているものに対するＤｏｗｎ  Ｌｉｎｋのデータ領域を予め設定したデータ領域よりも前方にマッピングする（図７のステップＳ２１）。
【００６７】
すなわち、図１２にて競合していたデータＤ３（３０５）を、図６のデータＤ３（５０４）に示すように、領域５０５よりも前方の領域５０４にマッピングしなおす。
【００６８】
また、図２の基地局２の制御部２３には図７に示す送信タイミング制御方法のプログラムが格納されており、制御部２３がこのプログラムにしたがって送信部２１および受信部２２を制御する。
【００６９】
以上説明したように、本発明の第２実施形態によれば、Ｄｏｗｎ  Ｌｉｎｋの後方の時間領域がＵｐ  Ｌｉｎｋの送信開始時間と競合する場合でも、ＳＳ１０４宛のＤｏｗｎ  ＬｉｎｋデータＤ３（５０４）は、ＳＳ１０４からのＵｐ  Ｌｉｎｋ送信開始よりも前に受信が終了しているため、Ｄｏｗｎ  Ｌｉｎｋの通信に支障は生じない。また、ＳＳ１０４からのＵｐ  Ｌｉｎｋの送信開始時間に競合しているＤｏｗｎ  ＬｉｎｋデータＤ１  （５０５）はＳＳ１０２宛であり、ＳＳ１０４では無視してＵｐ  Ｌｉｎｋの送信開始ができるため、正常に通信することができる。すなわち、ＳＳ１０４とＢＳ１０１との距離が大きく離れている場合でも正常に通信することができる。
【図面の簡単な説明】
【００７０】
【図１】本発明に係る時分割多重システムにおける端末の一例の構成図である。
【図２】本発明に係る時分割多重システムにおける基地局の一例の構成図である。
【図３】第１実施形態の動作の一例を示すシーケンスチャートである。
【図４】第１実施形態の動作の一例を示すフローチャートである。
【図５】第１実施形態の動作の一例を示すフローチャートである。
【図６】本発明に係る時分割多重システムのＢＳ−ＳＳ間で受信データと送信データとが競合する例を示す図である。
【図７】本発明に係る時分割多重システムの第２実施形態の動作の一例を示すフローチャートである。
【図８】Ｐ  ｔｏ  ＭＰ方式でのＯＦＤＭＡフレーム構成の一例を示す図である。
【図９】ＢＳとＳＳとの間でのイニシャルレンジングのシーケンスの一例を示す図である。
【図１０】関連する時分割多重システムの一例の構成図である。
【図１１】関連する時分割多重システムの送信タイミングの一例の説明図である。
【図１２】関連する時分割多重システムのＢＳ−ＳＳ間で受信データと送信データとが競合する例を示す図である。
【符号の説明】
【００７１】
１、１０２〜１０４  端末
２、１０１  基地局
１１、２１  送信部
１２、２２  受信部
１３、２３  制御部
１４、２４  プログラム格納部
１５、２５  受信用アンテナ
１６、２６  送信用アンテナ
【図１】
0004386108.tif 000002
【図２】
0004386108.tif 000003
【図３】
0004386108.tif 000004
【図４】
0004386108.tif 000005
【図５】
0004386108.tif 000006
【図６】
0004386108.tif 000007
【図７】
0004386108.tif 000008
【図８】
0004386108.tif 000009
【図９】
0004386108.tif 000010
【図１０】
0004386108.tif 000011
【図１１】
0004386108.tif 000012
【図１２】
0004386108.tif 000013